(57)【特許請求の範囲】
【請求項１】
導電性の矩形筒状の端子本体と、該端子本体内に組み付けられる導電性のばね部材とで構成される雌端子であって、該ばね部材が、上下の対向する二枚の基板部に切り起こし形成された対向する複数対の接触ばね片と、該上下の基板部を連結する左右の連結板部と、該連結板部に設けられ、該端子本体の係止部に係合する係合部とを備えることを特徴とする雌端子。
【請求項２】
前記複数対の接触ばね片が、前記上下の基板部から外側に突出した外向き部分と、該上下の基板部から内側に突出した内向き部分とで構成され、該外向き部分が前記端子本体の内面に弾性接触し、該内向き部分が、前記ばね部材の内側に挿入される雄端子に弾性接触することを特徴とする請求項１記載の雌端子。
【請求項３】
前記連結板部が前記基板部の前後に各一対配設されたことを特徴とする請求項１又は２記載の雌端子。
【請求項４】
前記係合部が前記連結板部から外向きに突設された係合片であり、前記係止部が係止孔であることを特徴とする請求項１〜３の何れかに記載の雌端子。
【請求項５】
請求項３記載の各一対の連結板部の前後端に前記係合片が設けられ、各一対の係合片が各係止孔に係合することを特徴とする請求項４記載の雌端子。
【請求項６】
前記複数対の接触ばね片が雄端子の挿入方向に並んで配設されたことを特徴とする請求項１〜５の何れかに記載の雌端子。
【請求項７】
前記端子本体の前後端に、雄端子の挿入を許容する上下の突部が設けられ、前記上下の接触ばね片が該上下の突部よりも内向きに突出したことを特徴とする請求項１〜６の何れかに記載の雌端子。
【発明の詳細な説明】
【技術分野】
【０００１】
本発明は、複数の接触ばね片を有するばね部材を内蔵し、主に大電流の通電に適用される雌端子に関するものである。
【背景技術】
【０００２】
図９は、従来の雌端子の一形態を示すものである。
【０００３】
この雌端子５１は、雄端子嵌合部５２と電線接続部５３とで成る導電金属製の端子本体５４と、雄端子嵌合部５２の内側に対向して組み付けられる導電金属製の前後一対のばね部材５５とで構成され、電気自動車等の大電流の接続に適用される。
【０００４】
ばね部材５５は縦方向の複数のスリット５６の間に各接触ばね片５７を形成したもので、雄端子嵌合部５２の係止溝５８をたがね等で加締めて固定される。
【０００５】
図１０は、従来の雌端子の他の形態を示すものである。
【０００６】
この雌端子６１は、電気自動車等の大電流の回路に接続されるバスバー６２の端末に設けられたもので、矩形筒状の端子本体６３と、端子本体内に組み付けられたばね部材６４とで構成されている。
【０００７】
端子本体６３は上壁６５と底壁６６との内面にそれぞれ接触用突起を有し、上壁６５の突起に対向して底壁６６にばね部材６４が配置されている。ばね部材６４は、端子本体６３の一側壁６７から他側壁６８に向けて斜め上向きに突出した複数のばね片６９を並列に有している。雄端子は端子本体６３の前部開口から各ばね片６９と突起とに沿って挿入される。
【先行技術文献】
【特許文献】
【０００８】
【特許文献１】特開平６−３０２３４９号公報（図１）
【特許文献２】特開２００７−２５０３６２号公報（図３）
【発明の概要】
【発明が解決しようとする課題】
【０００９】
しかしながら、上記従来の図９の雌端子５１にあっては、ばね部材５５をたがね等の加締め作業で端子本体５４に固定しなければならず、ばね部材５５の固定強度や取付位置にばらつきを生じやすいという懸念があった。また、雄端子の挿入時や離脱時にばね部材５５の複数のばね片５７が同時に雄端子に接触するために、挿入力や離脱力が高く、雄端子の挿入離脱作業性が低下するという懸念があった。
【００１０】
また、上記従来の図１０の雌端子６１にあっては、例えば係止手段でばね部材６４を端子本体６３に固定した場合に、係止手段の緩みや隙間等でばね部材６４がガタついたり外れたりし兼ねないという懸念や、ガタ等によってばね部材６４が不均一に変形し、雄端子に対する各ばね片６９の接触圧力にばらつきを生じて、電気的接触性が低下するという懸念あった。また、雄端子を突起とばね部材６４との間に挟んで接触させるために、板状の雄端子が厚み方向に強い力を受けた場合に、突起と雄端子との接触性が低下したり、雄端子の挿入時や離脱時にばね部材６４の複数のばね片６９が同時に雄端子に接触するために、挿入力や離脱力が高く、挿入離脱作業性が低下するという懸念があった。
【００１１】
本発明は、上記した点に鑑み、雄端子に対するばね部材の電気的接触性を常に良好に維持することができ、それに加えて端子本体にばね部材を位置ずれなくしっかりと固定することができ、しかも雄端子の挿抜を比較的小さな力で作業性良く行わせることができる雌端子を提供することを目的とする。
【課題を解決するための手段】
【００１２】
上記目的を達成するために、本発明の請求項１に係る雌端子は、導電性の矩形筒状の端子本体と、該端子本体内に組み付けられる導電性のばね部材とで構成される雌端子であって、該ばね部材が、上下の対向する二枚の基板部に切り起こし形成された対向する複数対の接触ばね片と、該上下の基板部を連結する左右の連結板部と、該連結板部に設けられ、該端子本体の係止部に係合する係合部とを備えることを特徴とする。
また、請求項２に係る雌端子は、請求項１記載の雌端子において、前記複数対の接触ばね片が、前記上下の基板部から外側に突出した外向き部分と、該上下の基板部から内側に突出した内向き部分とで構成され、該外向き部分が前記端子本体の内面に弾性接触し、該内向き部分が、前記ばね部材の内側に挿入される雄端子に弾性接触することを特徴とする。
【００１３】
請求項１，２記載の雌端子の構成により、複数の接触ばね片を相互に連結する上下の各基板部が左右の連結板部で連結され、基板部と連結板部とで矩形フレーム状になって高い剛性を発揮し、その状態で端子本体に係止部と係合部とで係止（固定）されることで、雄端子の挿入時に基板部が撓まずに、各接触ばね片が均一な接触圧力で雄端子に確実に接触する。また、上下の各接触ばね片が雄端子を雄端子板厚方向に等しいばね力で付勢して自動調心しつつ、雄端子に均一な接触圧力で確実に接触する。係止部や係合部としては突片や突起やアームや孔部や凹部等が挙げられる。
【００１４】
請求項３に係る雌端子は、請求項１又は２記載の雌端子において、前記連結板部が前記基板部の前後に各一対配設されたことを特徴とする。
【００１５】
上記構成により、上下の基板部が前後各一対の連結板部で連結され、前後の連結板部の間に開口が構成され、上下の基板部が高さ方向や幅方向に圧縮撓み可能となり、端子本体へのばね部材の組付性が高まる。
【００１６】
請求項４に係る雌端子は、請求項１〜３の何れかに記載の雌端子において、前記係合部が前記連結板部から外向きに突設された係合片であり、前記係止部が係止孔であることを特徴とする。
【００１７】
上記構成により、端子本体へのばね部材の組付時に係合片が撓んで係止孔内に進入係合し、係合片が弾性復帰して係止孔の端面に面接触で当接して、強い係止（固定）力を発揮する。
【００１８】
請求項５に係る雌端子は、請求項４記載の雌端子において、請求項３記載の各一対の連結板部の前後端に前記係合片が設けられ、各一対の係合片が各係止孔に係合することを特徴とする。
【００１９】
上記構成により、連結板部ごとの一対の係合片が係止孔の前後の端面に面接触で当接して強い係止（固定）力を発揮する。
【００２０】
請求項６に係る雌端子は、請求項１〜５の何れかに記載の雌端子において、前記複数対の接触ばね片が雄端子の挿入方向に並んで配設されたことを特徴とする。
【００２１】
上記構成により、ばね部材内に雄端子を挿入する過程で、雄端子に接触する接触ばね片の数が順次増えることで、小さな挿入力でスムーズな挿入が可能となる。また、ばね部材から雄端子を脱抜する過程で、雄端子に接触する接触ばね片の数が順次減ることで、スムーズな脱抜が可能となる。
【００２２】
請求項７に係る雌端子は、請求項１〜６の何れかに記載の雌端子において、前記端子本体の前後端に、雄端子の挿入を許容する上下の突部が設けられ、前記上下の接触ばね片が該上下の突部よりも内向きに突出したことを特徴とする。
【００２３】
上記構成により、雄端子に上下方向の外力が作用した際に、雄端子が上下の突部に当接してそれ以上の移動が阻止され、上下の接触ばね片は雄端子に確実に接触した状態で維持される。
【発明の効果】
【００２４】
請求項１，２記載の発明によれば、ばね部材の各基板部と各連結板部とが高い剛性を有した状態で端子本体に固定されるから、雄端子の挿入時に各基板部が撓んだり不要な変形をすることがなく、それにより上下の各接触ばね片が雄端子に均一な接圧で確実に接触することで、電気的接続の信頼性が向上する。また、上下の各接触ばね片が雄端子を雄端子厚み方向に自動調心することで、各接触ばね片が雄端子に均一な接圧で確実に接触して、電気的接続の信頼性が向上する。雄端子が外力で厚み方向に移動した場合でも、上下の各接触ばね片が雄端子の移動に追従して雄端子との接触を維持することで、電気的接続の信頼性が向上する。
【００２５】
請求項３記載の発明によれば、前後各一対の連結板部で上下の基板部が撓み可能となるので、上下の基板部を撓ませてばね部材を端子本体内に作業性良く容易に組み付けることができる。
【００２６】
請求項４記載の発明によれば、係合片を撓ませて係止孔に作業性良く簡単に係合させることができると共に、係止孔に係合した係合片が面接触で係止孔内に当接して、ばね部材を確実且つ強固に端子本体に固定させることで、雄端子を強く挿抜した際における端子本体内のばね部材の位置保持を確実に行わせることができる。
【００２７】
請求項５記載の発明によれば、各連結板部ごとの一対の係合片が係止孔の前後の端面に当接することで、ばね部材を一層確実且つ強固に端子本体に固定させ、雄端子を強く挿抜した際における端子本体内のばね部材の位置保持を一層確実に行わせることができる。
【００２８】
請求項６記載の発明によれば、雄端子の挿抜時に、雄端子に接触する接触ばね片の数が順次増減することで、雄端子の挿抜を比較的小さな力で作業性良く行うことができる。
【００２９】
請求項７記載の発明によれば、雄端子に上下方向の外力が作用した場合でも、雄端子が上下の突部に当接してそれ以上の移動が阻止されつつ、上下の接触ばね片が雄端子に確実に接触した状態を維持するから、電気的接続の信頼性が向上する。
【図面の簡単な説明】
【００３０】
【図１】本発明に係る雌端子の一実施形態を示す全体斜視図である。
【図２】雌端子に雄端子を挿入する状態を示す縦断面図である。
【図３】雌端子と雄端子との接触の一形態を示す縦断面図である。
【図４】雌端子本体内に装着されるばね部材の一形態を示す斜視図である。
【図５】雌端子を示す正面図である。
【図６】ばね部材をより詳細に示す、（ａ）は正面図、（ｂ）は側面図である。
【図７】ばね部材に雄端子を挿入した状態を示す縦断面図である。
【図８】本発明とは異なるばね部材の問題点を示す側面図である。
【図９】従来の雌端子の一形態を示す斜視図である。
【図１０】従来の雌端子の他の形態を示す要部を切欠した斜視図である。
【発明を実施するための形態】
【００３１】
図１〜図３は、本発明に係る雌端子の一実施形態を示すものである。
【００３２】
図１の如く、この雌端子１は、導電金属製のバスバー２に一体に形成された導電金属製の端子本体３と、端子本体３の内側に組付固定された導電金属製のばね部材４とで構成されている。バスバー２の基端部（図示せず）はボルトで高電圧の接続側に締付接続される。バスバー２の先端部にばね部材４に対する扁平な矩形筒状の保持部である端子本体３が一体に設けられている。
【００３３】
端子本体３は、上下の幅広の水平な壁部５，６と左右の幅狭の垂直な壁部７とで周壁を成し、上壁５は中央で分割接合され（分割面を符号８で示す）、上壁５と下壁６との前後端にそれぞれ雄端子９（図２）に対する当接兼接触用の突部１０（図２）を有し、左右の側壁７にばね部材４に対する前後各一対の矩形状の係止孔１１を有している。
【００３４】
下壁（底壁）６がバスバー２に同一面で続き、下壁６の左右両端に両側壁７が立ち上げ形成され、両側壁７の上端から内向きに一対の上壁部分５が折り曲げられて端子本体３を成している。バスバー２の形状は接続側の形状等に応じて適宜設定される。バスバー２に代えて電線接続部（図示せず）を端子本体３の後部に設けることも可能である。
【００３５】
図２の如く、端子本体３の前部開口１２から後部開口１３にかけて雄端子９が貫通挿入される。両側壁７は後方に延長され、後方延長部１４が雄端子９の先端部を保護する。端子本体３の前後端の上下の各突部１０の間隔（図３の符号Ａ）は雄端子９の板厚Ｔよりも大きく設定されている。前後の突部１０の間にばね部材４が装着され、ばね部材４の前後端４ａは突部１０の内面から少し離間している。突部１０は端子本体３の上下の壁部５，６をプレスで打ち出して（膨出させて）形成されている。
【００３６】
図４にばね部材４の一例を示す如く、ばね部材４は上下の幅広の水平な基板部１５，１６と、左右（側部）の前後端の幅狭の垂直な各一対の連結板部１７と、上下の基板部１５，１６から内向きに傾斜状に切り起こし（切り下げ）形成された複数の各接触ばね片１８，１９と、各連結板部１７の前後端から外向きに突設された各一対の垂直な係合片２０とを備えたものである。
【００３７】
上下の各接触ばね片１８，１９は各基板部１５，１６の前端から後端にかけて複数並列に配設されている。上下の各接触ばね片１８，１９の大きさ形状は同一であり、ばね力もそれぞれ等しい。本例の接触ばね片１８，１９の数は各三つであるが、通電する電流値の大小に応じて各二つとしたり各四つとしたり、最低で各一つとすることも可能である（電流値が大きい程、接触ばね片１８，１９の数は増加する）。
【００３８】
各基板部１５，１６には各ばね片１８，１９をプレスで切り起こしたことに伴う横長の各開口２１が形成されている。前後端の連結板部１７の間には大きな長方形状の側部開口２２が形成され、側部開口２２の上下に複数の傾斜状の支持突起２３が設けられている。各ばね片１８，１９の形成は各基板部１５，１６や連結板部１７を平面的に展開した状態で行われ、各ばね片１８，１９の形成後に各基板部１５，１６と各連結板部１７とを直角に折り曲げると共に、各係合片２０を直角に折り曲げ形成し、上側の基板部１５の右端の切断端１５ａを一方の連結板部（側壁）１７の上端の鍔部１７ａに重ねた状態で下向きの係止片２４（図５）で係止する。
【００３９】
図１の如く、端子本体３の各係止孔１１にばね部材４の各一対の係合片２０が係合し、各係止孔１１において各一対の係合片２０のうちの前側の係合片２０が係止孔１１の前端面に当接し、後側の係合片２０が係止孔１１の後端面に当接して、ばね部材４が前後方向の位置ずれ（ガタつき）なく端子本体３にしっかりと固定される。
【００４０】
端子本体３へのばね部材４の組付は、例えば端子本体３を展開した状態で行うことが可能である。ばね部材４は前後上下左右の各開口１２，１３，２１，２２を有するから、柔軟に撓み可能である。例えば、端子本体３の下壁６から両側壁７を立ち上げて上壁５のみを垂直に展開した状態で、ばね部材４を幅（水平）方向に圧縮して撓ませた状態で端子本体３内に組み付け（幅方向に圧縮することで係合片２０を係止孔１１に容易に挿入することができる）、その後、上壁５を水平に折り曲げる。
【００４１】
あるいは、端子本体３を図１のように箱状に成形した後、図４のばね部材４の上下の基板部１５，１６を内向きに手指で押して撓ませた状態で、端子本体３内に挿入して組み付けることも可能である。図５（正面図）の如く、端子本体３の少なくとも前端の上下の突部１０は、ばね部材４の上下の基板部１５，１６の左右端部を除く中間部分に対して配置されているので、上下の基板部１５，１６の中間部分を撓ませて上下の突部１０の内側にばね部材４を挿入することが可能である。
【００４２】
各係合片２０は可撓性を有しているので、端子本体３の側壁７に沿って撓みつつ係止孔１１に係合する。この方が前者の端子本体３の展開状態で組み付けるよりも組立作業性が良い。左右の各係合片２０がばね部材４を端子本体３にガタつきなくしっかりと固定する。図５の如く、上側の突部１０は短いものが一対、下側の突部１０は長いものが一つ配置されている。
【００４３】
図２の如く、上下の各ばね片１８，１９は各基板部１５，１６から上下に傾斜状に突出し、各ばね片１８，１９の内向き部分１８ａ，１９ａは端子本体３の雄端子挿通空間に向けて斜めに突出し、突出先端に水平な短い接点１８ｂ，１９ｂを有し、各ばね片１８，１９の外向き部分１８ｃ，１９ｃは端子本体３の上下の壁部５，６に向けて斜めに突出し、突出先端に水平な短い支持部１８ｄ，１９ｄを有している。
【００４４】
上下の各ばね片１８，１９の外向き部分１８ｃ，１９ｃの先端の支持部１８ｄ，１９ｄが端子本体３の上下の壁部５，６の内面に弾性的に当接（接触）して、ばね部材４を端子本体３の高さ方向中央に調心（求心）する。その状態で雄端子９が挿入され、上下の各ばね片８，９の内向き部分１８ａ，１９ａの先端の接点１８ｂ，１９ｂが雄端子９の上下の平坦な各面に弾性的に接触する。ばね部材４は、図５の左右の側壁７に対する左右の連結板部１７と、上下の壁部５，６に対する上下の各ばね片１８，１９の外向き部分１８ｃ，１９ｃと、係止孔２０（図１）に対する係合片２０とで端子本体３に電気的に接触する。
【００４５】
図２の如く、雄端子９は各ばね片１８，１９の傾斜方向に沿って低摩擦でスムーズに挿入される。自由状態における上下の各ばね片１８，１９の突出先端１８ｂ，１９ｂの間の距離（隙間）は雄端子９の板厚よりも小さく、上下の各ばね片１８，１９が同時に且つ均一な力で雄端子９に弾性的に接触する。
【００４６】
雄端子９の挿入に際しては、先ず前側の上下一対のばね片１８，１９が雄端子９に接触（摺接）し、次いで中間の上下一対のばね片１８，１９が雄端子９に接触（摺接）し、最後に後側の上下一対のばね片１８，１９が雄端子９に接触（摺接）する。このように、時間差をおいて上下の各ばね片１８，１９が雄端子９に接触することで、ばね部材４に対する雄端子９の挿入力が順次増加し、雄端子２の挿入性が小さな力でスムーズに行われる。
【００４７】
これは、ばね部材４から雄端子９を脱抜する際にも同様であり、先ず後側の上下一対のばね片１８，１９が雄端子９から離間し（前側と中間の上下各一対のばね片１８，１９が雄端子９に接触し）、次いで中間の上下一対のばね片１８，１９が雄端子９から離間し（前側の上下各一対のばね片１８，１９が雄端子９に接触し）、最後に前側の上下一対のばね片１８，１９が雄端子９から離間する。このように、時間差をおいて上下の各ばね片１８，１９が雄端子９から離間することで、ばね部材４に対する雄端子９の挿抜力が順次減少し、雄端子９の挿抜が小さな力でスムーズに行われる。
【００４８】
図３の如く、雄端子９の板厚Ｔが薄い場合でも、上下の各ばね片１８，１９が弾性的に内向きに復元して雄端子９に接触する。雄端子９は上下の各ばね片１８，１９で自動的に調心（求心）されて、上下の基板部１５，１６と平行に上下の基板部１５，１６の間の距離（隙間）の半分の高さに位置する。図３は図２とは前後反転して示している。
【００４９】
設計寸法的に、端子本体３の上下の突部１０の間の距離をＡ、雄端子９の板厚をＴ、上下の各ばね片１８，１９の最小許容変位を２Ｂ、上下のばね片１８，１９の最大許容変位を２Ｃとすると、Ｔ＋２Ｂ＜Ａ＜Ｔ＋２Ｃとなる。このような関係となるように、突部１０の突出高さを規定する。
【００５０】
本例の雄端子９は電線（図示せず）に接続されたものであるが、電線等に外力が作用して、雄端子９が上下に不必要に移動した場合でも、上下の各ばね片１８，１９は常に雄端子９に接触し、雄端子９に対する接触箇所が減少することがない。雄端子９が大きく上下した場合でも、上下の突部１０が雄端子９に当接して雄端子９を位置規制し、雄端子９のそれ以上の移動を阻止するから、上下の各ばね片１８，１９の接触荷重を設計値以上に保ちつつ、ばね片１８，１９の有害な塑性変形（へたり）や破損を防止することができる。
【００５１】
図５の如く、上下のばね片１８，１９は上下の基板部１５，１６の幅方向中央において内向きに対向して正面視で略台形状に突出している。ばね部材４の左右の連結板部１７の外面は端子本体３の左右の側壁７の内面に接している。図５で符号２３は左右端の傾斜状の突片、符号２はバスバーをそれぞれ示す。
【００５２】
図６（ａ）（ｂ）は、ばね部材４の正面図と側面図をそれぞれ示すものであり、上下の各ばね片１８，１９の内向きの突出部分１８ａ，１９ａは外向きの突出部分１８ｃ，１９ｃよりも少し長く突出し、突出先端１８ｂ，１９ｂに向かうにつれて漸次テーパ状に幅狭に形成されている。外向きの突出部分１８ｃ，１９ｃは各基板部１５，１６にテーパ状（扇状）のヒンジ壁２５で連結され、ばね片１８，１９は雄端子９の挿入時にヒンジ壁２５を支点に弾性的に上下に回動可能となっている。
【００５３】
前後の連結板部１７の間の側部開口２２の上下の傾斜状の略半円形の突片２３はばね片１８，１９の外向き突出部分１８ｃ，１９ｃよりも低く突出し、ばね片１８，１９の最大回動時に外向きの突出部分１８ｃ，１９ｃと共に、あるいは単独で端子本体３の上下の壁部５，６に接触可能である。符号２４は、上側の基板部５の切断端１５ａを連結板部１７の上端の鍔部１７ａに係止させた部分である。
【００５４】
本例の係合片２０は各連結板部１７の高さ方向中央よりもやや低い位置に配置されている。連結板部１７の水平な上下のスリット２６を係合片２０の板厚よりも深く入れて、係合片２０に板厚方向の弾性力を付与し、且つ係合片２０の外面２０ａと連結板部１７の前後端１７ａとを同一垂直面に位置させている。係合片２０はばね片１８，１９の内向き突出部分１８ａ，１９ａと同程度の長さで矩形状に突出している。前側の連結板部１７の前端は上下の基板部１５，１６の前端に位置、後側の連結板部１７の後端は上下の基板部１５，１６の後端に位置している。
【００５５】
図７の如く、雄端子９を挿入することで、上下の各ばね片１８，１９がヒンジ壁２５を支点に雄端子板厚方向に回動して（内向き突出部分１８ａ，１９ａが外向きに回動し、外向き突出部分１８ｃ，１９ｃが内向きに回動する）、各ばね片１８，１９の傾斜角θが図６の自由状態におけるよりも緩やかになる。
【００５６】
上下の基板部１５，１６すなわち上下の各ばね片１８，１９を水平に連結するつなぎ部は、前後各一対の連結板部１７で垂直に連結されているから、雄端子９の挿入時に基板部１５，１６が変形することがなく、変形に伴う荷重の逃げやそれに伴う雄端子９に対する各ばね片毎の接触荷重のばらつきが防止され、電気的接続の信頼性が高まる。
【００５７】
また、連結板部１７に係合片２０が設けられ、端子本体３の係止孔１１に係合片２０が係合して、端子本体３に対する位置保持部分が変形のない係合片２０の外面２０ａで確実に行われることで、雄端子９の挿抜時に端子本体３に対してばね部材４が安定し且つ強固に位置保持される。
【００５８】
例えば、図８の参考例の如く、一枚の基板部２７に複数のばね片２８を形成し、基板部２７の前後を折り曲げて端子本体３’に対する係止部２９とした場合は、雄端子９の挿入時に基板部２７が斜めに変形して、基板部２７に荷重が逃げて、各ばね片毎の接触荷重が大きくばらつき、しかも端子本体３’に対する位置保持箇所である係止部２９が点接触となって、雄端子９の挿抜時におけるばね部材３０の位置保持の信頼性が低下してしまう。図６〜図７のばね部材４によってこれらの問題が解消されている。
【００５９】
なお、上記実施形態においては、端子本体３に係止孔（係止部）１１を設け、ばね部材４に係合片（係合部）２０を設けたが、端子本体３に係止片（係止部）、ばね部材４に係合孔（係合部）を設けることも可能である。但しこの場合は、係止片が内向きに突出して雄端子９に干渉したり、係合孔と係止片との係合を外部から目視確認できない等の不具合を生じる懸念がある。
【００６０】
また、上記実施形態においては、雌端子１をバスバー２に形成し、雄端子９を電線に接続（圧着）したが、例えば雄・雌両端子１，９を電線に接続したり、あるいはバスバー２に一体形成したりすることも可能である。
【産業上の利用可能性】
【００６１】
本発明に係る雌端子は、例えばハイブリッドカーを含む電気自動車等の高電圧の回路を小さな電気抵抗で確実に接続するために利用することができる。
【符号の説明】
【００６２】
１          雌端子
３          端子本体
４          ばね部材
９          雄端子
１０        突部
１１        係止孔（係止部）
１５，１６  基板部
１８，１９  接触ばね片
１７        連結板部
２０        係合片（係合部）
【図１】
0005399793.tif 000002
【図２】
0005399793.tif 000003
【図３】
0005399793.tif 000004
【図４】
0005399793.tif 000005
【図５】
0005399793.tif 000006
【図６】
0005399793.tif 000007
【図７】
0005399793.tif 000008
【図８】
0005399793.tif 000009
【図９】
0005399793.tif 000010
【図１０】
0005399793.tif 000011